(57)【要約】【課題】制御対象への加熱・冷却用の空気の影響を少なくし、制御対象を一定の温度範囲に維持するのを容易にする。【解決手段】光源を冷却及び、光源により暖められた空気の送風をする第一の送風手段を光源からダクトの分岐の間のダクト内に備え、分岐した一方のダクトである第一の分岐ダクトに、第一の送風手段により送風された空気を表示素子に送風するための第二の送風手段を備え、光源の状況及び内部温度センサの測定値に従い、第一、第二の送風手段の動作を制御手段１５により制御することで、表示素子の温度変化を一定範囲に制御する。【選択図】図１
2008090192.tif 000002
【特許請求の範囲】
【請求項１】
光源からの光を表示素子に投射し、この表示素子の表示画像を投射レンズによりスクリーンに拡大投影する画像投射装置において、
前記画像投射装置に外気と通ずる複数の開口部と、前記表示素子またはその代用特性を有する所に設置された一つ以上の内部温度センサと、分岐する構造を備えたダクトを備え、光源を冷却及び、前記光源により暖められた空気の送風を行うための第一の送風手段を光源からダクトの分岐の間のダクト内に備え、分岐した一方のダクトである第一の分岐ダクトに、前記第一の送風手段により送風された一部もしくは全ての空気を前記表示素子に送風するための第二の送風手段を備え、前記第一、第二の送風手段の動作を制御する制御手段を備え、光源の状況及び前記内部温度センサの測定値に従い、前記第一、第二の送風手段の動作を前記制御手段により制御することで、前記表示素子の温度変化を一定範囲に制御することを特徴とする画像投射装置。
【請求項２】
光源からの光を表示素子に投射し、この表示素子の表示画像を光偏向素子を通し、投射レンズによりスクリーンに拡大投影する画像投射装置において、
前記画像投射装置に外気と通ずる複数の開口部と、前記光偏向素子またはその代用特性を有する所に設置された一つ以上の内部温度センサと、分岐する構造を備えたダクトを備え、光源を冷却及び、前記光源により暖められた空気の送風を行うための第一の送風手段を光源からダクトの分岐の間のダクト内に備え、分岐した一方のダクトである第一の分岐ダクトに、前記第一の送風手段により送風された一部もしくは全ての空気を前記光偏向素子に送風するための第二の送風手段を備え、前記第一、第二の送風手段の動作を制御する制御手段を備え、光源の状況及び前記内部温度センサの測定値に従い、前記第一、第二の送風手段の動作を前記制御手段により制御することで、前記光偏向素子の温度変化を一定範囲に制御することを特徴とする画像投射装置。
【請求項３】
光源からの光を表示素子に投射し、この表示素子の表示画像を光偏向素子を通し、投射レンズによりスクリーンに拡大投影する画像投射装置において、
前記画像投射装置に外気と通ずる複数の開口部と、前記光偏向素子及び前記表示素子またはその代用特性を有する所に設置された一つ以上の内部温度センサと、分岐する構造を備えたダクトを備え、光源を冷却及び、前記光源により暖められた空気の送風を行うための第一の送風手段を光源からダクトの分岐の間のダクト内に備え、分岐した一方のダクトである第一の分岐ダクトに、前記第一の送風手段により送風された一部もしくは全ての空気を前記光偏向素子及び前記表示素子に送風するための第二の送風手段を備え、前記第一、第二の送風手段の動作を制御する制御手段を備え、光源の状況及び前記内部温度センサの測定値に従い、前記第一、第二の送風手段の動作を前記制御手段により制御することで、前記光偏向素子及び前記表示素子の温度変化を一定範囲に制御することを特徴とする画像投射装置。
【請求項４】
前記第一の分岐ダクトは、分岐した他のダクトより低い位置に設置され、且つ前記第一の送風手段が動作し、前記第二の送風手段停止時の総圧が、前記分岐した他のダクトより低い構造を備えたことを特徴とする請求項１から３のいずれかに記載の画像投射装置。
【請求項５】
前記ダクトから前記第一の分岐ダクトへの分岐角度を前記分岐した他のダクトよりも大きくすることを特徴とする請求項１から４のいずれかに記載の画像投射装置。
【請求項６】
前記第一の分岐ダクトの断面積を前記分岐した他のダクトよりも小さくすることを特徴とする請求項１から５のいずれかに記載の画像投射装置。
【請求項７】
前記第一の分岐ダクトの通風抵抗を前記第二の送風手段を設けることにより、前記分岐した他のダクトよりも大きくすることを特徴とする請求項１から５のいずれかに記載の画像投射装置。
【請求項８】
前記ダクトにより、前記光源から前記画像投射装置の開口部間を繋ぎ、流路を備えたことを特徴とする請求項１から７のいずれかに記載の画像投射装置。
【請求項９】
前記第一、第二の送風手段は、光源の状況及び前記内部温度センサの測定値に応じて、動作のＯＮ／ＯＦＦを前記制御手段により制御することを特徴とする請求項１から８のいずれかに記載の画像投射装置。
【請求項１０】
前記第二の送風手段は、前記内部温度センサの測定値に応じて、回転数を前記制御手段により制御することを特徴とする請求項１から８のいずれかに記載の画像投射装置。
【請求項１１】
前記第一の送風手段は、光源の状況、前記内部温度センサの測定値、第二の送風手段の動作状況に応じて、回転数を前記制御手段により制御することを特徴とする請求項１から８、１０のいずれかに記載の画像投射装置。
【請求項１２】
前記画像投射装置内に、前記光偏向素子と前記表示素子の一方または両方を冷却するための、第三の送風手段を備えたことを特徴とする請求項１から１１のいずれかに記載の画像投射装置。
【請求項１３】
前記第三の送風手段は、前記内部温度センサの測定値に応じて、動作のＯＮ／ＯＦＦを前記制御手段により制御することを特徴とする請求項１から１２のいずれかに記載の画像投射装置。
【請求項１４】
前記第三の送風手段は、前記内部温度センサの測定値に応じて、回転数を前記制御手段により制御することを特徴とする請求項１から１２のいずれかに記載の画像投射装置。
【請求項１５】
前後に逆転して送風することができる前記第一の送風手段と前記制御手段を備えたことを特徴とする請求項１から１１のいずれかに記載の画像投射装置。
【発明の詳細な説明】
【技術分野】
【０００１】
本発明は、電気信号により光の方向を変える光路偏向素子を利用した画像投射装置に関し、例えば、プロジェクションディスプレイ等の電子ディスプレイ装置に適用して好適なものである。
【背景技術】
【０００２】
液晶材料の特性には温度依存性があるため、光路偏向素子として液晶材料を用いる場合、該光路偏向素子の周囲の温度により光路偏向量が変動する。例えば、１フレームを複数のサブフィールドに分割して、これらサブフィールド毎に見かけの画素位置を移動させ、分割したサブフィールドを順に表示を行う高解像度の画像表示を行う画像投射装置に用いた場合、表示画像のドット位置ずれが発生し、コントラスト低下を引き起こす原因になる。
【０００３】
また、画像投射装置に用いられる表示素子のなかにも、透過型液晶パネルやＬＣＯＳ(Liquid Crystal on Silicon)等の液晶を用いている表示素子の特性には、温度依存性がある。また、これらの温度制御は通常の室温より高い温度に制御しなければならない場合が多々ある。
【０００４】
透過型液晶パネルから離れた位置にファンを置き、ファンによって取り入れた冷風もしくは光源からの温風を、ファンと液晶パネルの間に設けたダクトによって液晶パネルの設置された位置まで導いて温度制御を行う技術がある。
【０００５】
一般的に温度制御は、加熱・冷却を積極的に行う場合には、液晶パネルと温度差がある空気を用いる。またより早い制御を行うためには、より温度差のある空気を用いる。
【０００６】
ダクトと液晶パネルの温度制御に用いる空気の流路は、一体化された密閉空間となっていることから、積極的な温度制御を行わない場合においても、積極的な温度制御後には、液晶パネル周囲の温度は制御時の温度に維持される。この現象は特に加熱時の制御で顕著であり、このことから液晶パネルを一定の温度範囲に維持するのが難しいという大きな欠点がある。また、冷風及び温風の切換えを扉のような機械的な機構により行っており、その機構に非常に多くの部品が必要となり、高コストになる。
【０００７】
また、光源からの温風を液晶パネルに通じるダクトに送風するために、機械的な機構を設けている場合では、他に開口部にも温風が通ることから効率が悪い。また、温風吸入ファンを設けた場合にも排気ファンと同空間より同じに温風を得ているために、効率が悪い。
【０００８】
ここで、液晶材料を用いた光路偏向素子と、この光路偏向素子またはその該光路偏向素子の温度の傾向を推定可能な所に設置された内部温度センサと、光路偏向素子に風を送る送風手段と、この送風手段により送風される空気の温度を測定できる位置に設置された外部温度センサとを備え、この外部温度センサの検知温度と内部温度センサの検知温度により送風手段の送風量を制御することで光路偏向素子の温度変化を一定範囲に制御する技術が開示されている（例えば、特許文献１参照）。
【特許文献１】特開２００４−２７９９２４号公報
【発明の開示】
【発明が解決しようとする課題】
【０００９】
しかしながら、従来技術では、光路偏向素子を暖めるための発熱体には、加熱ヒータや電熱線等の加熱する能力を有するものが用いられており、これらを発熱させるために新たなエネルギーが必要となっていた。
【００１０】
そこで、本発明では、光偏向素子や液晶を用いた表示素子の温度制御に関し、ニ方向に分岐するダクトを用い、表示素子（液晶パネル含む）や光偏向素子などの温度制御を行う制御対象をダクトと一体化した密閉した流路内に設置せず、積極的な温度制御を行わない場合には、加熱・冷却用の空気を液晶パネルに影響の少ないダクト内を流すことにより、制御対象への加熱・冷却用の空気の影響を少なくし、制御対象を一定の温度範囲に維持するのを容易にする。また、光源を冷却した後の温風を暖める制御に効率良く用い、新たな熱源とエネルギーを使用せず、送風手段以外の機械的な駆動機構を用いないことから部品点数の少ない、低コスト且つ省エネルギーで温度制御を行うことができる画像投射装置を提供することを目的とする。
【課題を解決するための手段】
【００１１】
請求項１記載の発明は、光源からの光を表示素子に投射し、この表示素子の表示画像を投射レンズによりスクリーンに拡大投影する画像投射装置において、画像投射装置に外気と通ずる複数の開口部と、表示素子またはその代用特性を有する所に設置された一つ以上の内部温度センサと、分岐する構造を備えたダクトを備え、光源を冷却及び、光源により暖められた空気の送風を行うための第一の送風手段を光源からダクトの分岐の間のダクト内に備え、分岐した一方のダクトである第一の分岐ダクトに、第一の送風手段により送風された一部もしくは全ての空気を表示素子に送風するための第二の送風手段を備え、第一、第二の送風手段の動作を制御する制御手段を備え、光源の状況及び内部温度センサの測定値に従い、第一、第二の送風手段の動作を制御手段により制御することで、表示素子の温度変化を一定範囲に制御することを特徴とする画像投射装置である。
【００１２】
請求項２記載の発明は、光源からの光を表示素子に投射し、この表示素子の表示画像を光偏向素子を通し、投射レンズによりスクリーンに拡大投影する画像投射装置において、画像投射装置に外気と通ずる複数の開口部と、光偏向素子またはその代用特性を有する所に設置された一つ以上の内部温度センサと、分岐する構造を備えたダクトを備え、光源を冷却及び、光源により暖められた空気の送風を行うための第一の送風手段を光源からダクトの分岐の間のダクト内に備え、分岐した一方のダクトである第一の分岐ダクトに、第一の送風手段により送風された一部もしくは全ての空気を光偏向素子に送風するための第二の送風手段を備え、第一、第二の送風手段の動作を制御する制御手段を備え、光源の状況及び内部温度センサの測定値に従い、第一、第二の送風手段の動作を制御手段により制御することで、光偏向素子の温度変化を一定範囲に制御することを特徴とする画像投射装置である。
【００１３】
請求項３記載の発明は、光源からの光を表示素子に投射し、この表示素子の表示画像を光偏向素子を通し、投射レンズによりスクリーンに拡大投影する画像投射装置において、画像投射装置に外気と通ずる複数の開口部と、光偏向素子及び表示素子またはその代用特性を有する所に設置された一つ以上の内部温度センサと、分岐する構造を備えたダクトを備え、光源を冷却及び、光源により暖められた空気の送風を行うための第一の送風手段を光源からダクトの分岐の間のダクト内に備え、分岐した一方のダクトである第一の分岐ダクトに、第一の送風手段により送風された一部もしくは全ての空気を光偏向素子及び表示素子に送風するための第二の送風手段を備え、第一、第二の送風手段の動作を制御する制御手段を備え、光源の状況及び内部温度センサの測定値に従い、第一、第二の送風手段の動作を制御手段により制御することで、光偏向素子及び表示素子の温度変化を一定範囲に制御することを特徴とする画像投射装置である。
【００１４】
請求項４記載の発明は、請求項１から３のいずれかに記載の画像投射装置において、第一の分岐ダクトは、分岐した他のダクトより低い位置に設置され、且つ第一の送風手段が動作し、第二の送風手段停止時の総圧が、分岐した他のダクトより低い構造を備えたことを特徴とする。
【００１５】
請求項５記載の発明は、請求項１から４のいずれかに記載の画像投射装置において、ダクトから第一の分岐ダクトへの分岐角度を分岐した他のダクトよりも大きくすることを特徴とする。
【００１６】
請求項６記載の発明は、請求項１から５のいずれかに記載の画像投射装置において、第一の分岐ダクトの断面積を分岐した他のダクトよりも小さくすることを特徴とする。
【００１７】
請求項７記載の発明は、請求項１から５のいずれかに記載の画像投射装置において、第一の分岐ダクトの通風抵抗を第二の送風手段を設けることにより、分岐した他のダクトよりも大きくすることを特徴とする。
【００１８】
請求項８記載の発明は、請求項１から７のいずれかに記載の画像投射装置において、ダクトにより、光源から画像投射装置の開口部間を繋ぎ、流路を備えたことを特徴とする。
【００１９】
請求項９記載の発明は、請求項１から８のいずれかに記載の画像投射装置において、第一、第二の送風手段は、光源の状況及び内部温度センサの測定値に応じて、動作のＯＮ／ＯＦＦを制御手段により制御することを特徴とする。
【００２０】
請求項１０記載の発明は、請求項１から８のいずれかに記載の画像投射装置において、第二の送風手段は、内部温度センサの測定値に応じて、回転数を制御手段により制御することを特徴とする。
【００２１】
請求項１１記載の発明は、請求項１から８、１０のいずれかに記載の画像投射装置において、第一の送風手段は、光源の状況、内部温度センサの測定値、第二の送風手段の動作状況に応じて、回転数を制御手段により制御することを特徴とする。
【００２２】
請求項１２記載の発明は、請求項１から１１のいずれかに記載の画像投射装置において、画像投射装置内に、光偏向素子と表示素子の一方または両方を冷却するための、第三の送風手段を備えたことを特徴とする。
【００２３】
請求項１３記載の発明は、請求項１から１２のいずれかに記載の画像投射装置において、第三の送風手段は、内部温度センサの測定値に応じて、動作のＯＮ／ＯＦＦを制御手段により制御することを特徴とする。
【００２４】
請求項１４記載の発明は、請求項１から１２のいずれかに記載の画像投射装置において、第三の送風手段は、内部温度センサの測定値に応じて、回転数を制御手段により制御することを特徴とする。
【００２５】
請求項１５記載の発明は、請求項１から１１のいずれかに記載の画像投射装置において、前後に逆転して送風することができる第一の送風手段と制御手段を備えたことを特徴とする。
【発明の効果】
【００２６】
本発明によれば、制御対象への加熱・冷却用の空気の影響を少なくし、制御対象を一定の温度範囲に維持するのを容易にする。また、光源を冷却した後の温風を暖める制御に効率良く用い、新たな熱源とエネルギーを使用せず、送風手段以外の機械的な駆動機構を用いないことから部品点数の少ない、低コスト且つ省エネルギーで温度制御を行うことができる。
【発明を実施するための最良の形態】
【００２７】
次に、本発明の第１の実施の形態の構成について図面を参照して説明する（ファン２）。
【００２８】
図１から３は本実施の形態における画像投射装置内の光路偏向素子９及び表示素子８の温度制御に関する構成と、空気の流れを示す説明図である。
【００２９】
画像投射装置であるプロジェクタの表示素子８には、ＤＬＰ(Digital Light Processing)、透過型液晶パネルやＬＣＯＳ等、様々なタイプのものが用いられ、表示素子数も各種方式があるが、本実施例では表示素子としてＬＣＯＳをＲＧＢ各色分用いた三板式のプロジェクタを備えた画像投射装置を示す。勿論、本発明は表示素子のタイプや表示素子数によるものではない。
【００３０】
ＬＣＯＳ三板式のプロジェクタには、示した図以外にもミラー、インテグレータ、ＰＢＳ等々の光学部品が使用されるが、本実施の形態では、本発明の温度制御に関する説明に必要な部分のみを図示することとする。また、温度制御の対象としては、光偏向素子９だけの場合と、表示素子８を含めた両方の場合があるが、ここでは両方の温度制御を行う場合を示し、以後温度制御を行う光偏向素子９と表示素子８を制御対象と記す。
【００３１】
画像投射装置外部に通じる開口部１の傍に光源であるランプ２が設置され、開口部１とは異なる方向に第一の送風手段であるファン３がダクト４内に設置され、ダクト４は第一の分岐ダクトであるダクト５とダクト６に分岐し、ダクト６より低く位置するダクト５には、第二の送風手段であるファン７が設置されている。
【００３２】
ファン３の動作は制御手段１５によって、光源温度センサ１６及び内部温度センサ１３の測定値に応じて制御手段１５により制御され、ファン７は内部温度センサ１３の測定値に応じて制御手段１５により制御される。光源温度センサ１６は光源付近に設置され、内部温度センサ１３は制御対象である表示素子８、光偏向素子９またはその代用特性を有する所に設置されるが図示せず省略する。
【００３３】
流体である空気が運動をすると必ず空気の動きに関係のない静圧と、気流の速度に関する動圧をもち、この和を総圧という。
【００３４】
図１は制御対象を暖めない場合である。ファン７は回転しない。温風の上に上がる性質と、分岐後のダクト６の方がダクト５に比べ第一の送風手段が動作し、第二の送風手段停止時の総圧が、ダクト５より低い構造になっていることから、温風はダクト５には行かず、ダクト６を通り排出されることにより、制御対象へ影響は与えない。
【００３５】
総圧を低くする方法の説明として、図５はダクト４に対するダクト５とダクト６の分岐角度を、図６はダクト５とダクト６の分岐部の断面積を、図７はダクト６がファン７により通風抵抗を高めることについての説明図である。
【００３６】
図５のようにＡの分岐角度をＢの分岐角度より大きくすることにより、ダクト６の圧力損失係数がダクト５に比べて大きくなることから、総圧が低くなることにより、ダクト６の方がダクト４からの空気が流れ難くなる。
【００３７】
図６のように分岐部の断面積ＣをＤより小さくすることで、ダクト６の方がダクト５に比べ、ダクト４からの空気が流れ難くなる。
【００３８】
図７のようにダクト６内にファン７を備えることで、空気の流れる空間が狭められることで、通風抵抗が高くなる。これにより、ダクト６の方がダクト５に比べ、ダクト４からの空気が流れ難くなる。
【００３９】
図２と図３は制御対象を暖める場合である。制御対象とは、光偏向素子９の場合と表示素子８を含めた両方の場合があるが、ここでは両方の温度制御を行う場合を示している。
【００４０】
ファン３が回転することにより、開口部である開口部１より風が機器内部に送られることにより、ランプ２が冷却される。
【００４１】
ランプ２を冷却することにより暖められた温風は、ファン３を通りダクト４に送られる。
【００４２】
ダクト４を通った温風は、制御対象を暖める場合には、ダクト６より低く位置したダクト５にある第二の送風手段であるファン７を回転させることにより、ダクト４の温風がファン７によりダクト５の方向に送られ、ダクト５外の制御対象に送られる。
【００４３】
図３は、ファン３の送風能力がファン７の送風能力を上回っている場合であるが、ファン７の送風能力外の温風は、ダクト５の方向に流れ、制御対象に影響を与えることがない。
【００４４】
図１以降の説明図では、ダクト５から制御対象までは開放空間となっているが、ダクト５からの風が、制御対象に効率的且つ均等に影響を与える為に、その間のダクト５の形状を制御対象の位置に合わせたり、制御対象までダクト５を伸ばしたり、制御対象を囲う構造を用いることもある。
【００４５】
図４に制御手段１５を用いた温度制御に関する概略説明図を示す。制御対象の温度制御は、制御対象かその代用特性を有する所に設置された内部温度センサ１３や光源の状態を見るための光源温度センサ１６をはじめとする複数の温度センサの出力は、Ａ／Ｄ変換器１２を介して温度制御回路１４に入力され、各センサの温度が検出される。この値を用いて、ファン３とファン７の動作を制御することにより行うことができる。
【００４６】
図４ではセンサとして内部温度センサ１３と光源温度センサ１６が接続されているだけであるが、他の温度センサも用いる場合には、その数に合わせてＡ／Ｄ変換器を備え、これを介して温度センサの出力を変換し、温度制御回路１４に入力し制御を行う。
【００４７】
内部温度センサ１３の値が設定値未満の場合には、制御対象を暖める制御を行い、設定値以上の場合には、暖めない制御を行う。
【００４８】
また、過去と現在の温度を参照すると、より繊細な温度制御を行うことができる。
【００４９】
以上により、制御対象を暖めるための発熱体を備えることなく、本来は捨てられていた熱を用いて、制御対象を加熱する、省エネルギーな温度制御を行うことができる画像投射装置を提供することができた。
【００５０】
次に本発明の第２の実施の形態について説明する（冷却専用ファン）。
【００５１】
図９から１１は、第１の実施の形態に第三の送風手段として冷却用のファン１０を加えた、温度制御に関する空気の流れる方向を表した説明図である。
【００５２】
光源温度センサ１６は光源付近に設置され、内部温度センサ１３は制御対象である表示素子８、光偏向素子９またはその代用特性を有する所に設置されるが図示せず省略する。
【００５３】
図９のように、積極的に制御対象へ影響を与えない場合と、図１０のように制御対象を暖める場合は、ファン３とファン７の動作は実施例１と同じであり、ファン１０は止まっている。ファン１０は、制御手段１５により制御される、制御手段１５ではドライバ１１を通して温度制御回路１４によりその動作を制御される。
【００５４】
本実施の形態では、図８のような構成になる。制御対象かその代用特性を有する所に設置された内部温度センサ１３や光源の状態を見るための光源温度センサ１６をはじめとする複数の温度センサの出力は、Ａ／Ｄ変換器１２を介して温度制御回路１４に入力され、各センサの温度が検出される。この値を用いて、ファン３、ファン７、ファン１０の動作を制御することにより行うことができる。
【００５５】
図８ではセンサとして内部温度センサ１３と光源温度センサ１６が接続されているだけであるが、他の温度センサも用いる場合には、その数に合わせてＡ／Ｄ変換器を備え、これを介して温度センサの出力を変換し、温度制御回路１４に入力し制御を行う。
【００５６】
図１１の制御対象を冷却する場合には、ファン１０が回転し、制御対象より温度の低い周囲の空気、もしくは外気を制御対象の方向に送ることにより制御対象を冷却することができる。
【００５７】
図９から１１ではファン１０は制御対象の上側方に図示されているが、その設置位置は制御対象に対して送風できる位置に設置されておればよく、これに限定されるものではない。
【００５８】
これらの温度制御は、少なくとも前記光路偏向素子またはその代用特性を有する所に設置された内部温度センサをはじめとする１つ以上の温度センサの値を用いて、各ファンの回転動作を制御することにより行うことができる。
【００５９】
温度センサの測定対象としては、他にダクト４、冷却ファン周囲の温度などがあり、これらを測定することにより、より繊細な制御を行うことができるようになる。
【００６０】
内部温度センサ１３の値が下限の設定値以下の場合には、制御対象を暖める制御を行い、上限の設定値以上の場合には、冷却する制御を行う。このようにファン１０を新たに備えることにより、制御対象の冷却が積極的に行えることになり、温度制御を迅速におこなえる画像投射装置を提供することができるようになった。
【００６１】
次に、本発明の第３の実施の形態について説明する（回転制御ファン）。
【００６２】
第１、２の実施の形態のファン３、ファン７やファン１０を回転が制御できるファンにすることにより、制御対象への送風量を調節することが可能となる。
【００６３】
第１、２の実施の形態の構成では、ファン７の回転を増減させることで、制御対象への影響を増減することができる。
【００６４】
また、第３の実施の形態の構成では、ファン７やファン１０の動作時の回転を増減させることで、制御対象への影響を増減することができる。これらの温度制御は、少なくとも上記光路偏向素子またはその代用特性を有する所に設置された内部温度センサをはじめとする１つ以上の温度センサの値を用いて、各ファンの回転数や動作を制御手段１５により制御することで行うことができる。
【００６５】
回転数は、温度に対応した設定にする。以上のことにより、このようにファンに回転を制御することができるものを用いることにより、その送風量を制御でき、それにより制御対象の温度制御をより繊細に行えることが可能となった。
【００６６】
次に、本発明の第４の実施の形態について説明する（逆転ファン）。
【００６７】
本実施の形態の制御手段１５を用いた温度制御に関する概略説明図は図４を用いる。また、図１２、１３では光源温度センサ１６は光源付近に設置され、内部温度センサ１３は制御対象である表示素子８、光偏向素子９またはその代用特性を有する所に設置され、ドライバ１１は制御手段１５内にあるが、図示せず省略する。
【００６８】
図１２には、実施例１の第一の送風手段であるファン３に、前後に逆転して送風する機能を備えたファン３を用いた、温度制御に関する空気の流れる方向を表した説明図である。ファン３は制御手段１５により制御される、制御手段１５ではドライバ１１を通して温度制御回路１４によりその動作を制御する。
【００６９】
ファン３には直流駆動のファンを用い、電圧を逆転させることにより回転が逆転し、逆方向に送風することができる。制御対象を暖める場合と何も影響を与えない場合は、実施例１と同様の制御を行うが、冷却する制御を行う場合には、ファン３を光源方向に送風するように回転させることにより、開口部１からランプ２以外のダクト４内には、ダクト６からの冷却用の空気がファン３により送風される。
【００７０】
ファン７が回転することにより、冷却用の空気はダクト５を通り、制御対象に影響を与えることで、冷却を行う。ダクト５とダクト６の総圧によっては、図１３のように少量の空気がダクト６よりダクト４に流れる場合もある。
【００７１】
これらの温度制御は、少なくとも前記光路偏向素子またはその代用特性を有する所に設置された内部温度センサをはじめとする１つ以上の温度センサの値を用いて、各ファンの回転動作を制御することにより行うことができる。
【００７２】
温度センサの測定対象としては、他にダクト４、ダクト５の温度などがあり、これらを測定することにより、より繊細な制御を行うことができるようになる。
【００７３】
内部温度センサ１３の値が下限の設定値以下の場合には、制御対象を暖める制御を行い、上限の設定値以上の場合には、冷却する制御を行う。以上のように、第一の送風手段であるファン３の送風方向を逆転できるファンとすることで、冷却用の送風手段を備えることなく、制御対象の温度を積極的に制御することができる画像投射装置を提供することができた。
【００７４】
以下に、各請求項ごとの目的と作用効果を説明する。
【００７５】
（請求項１の目的）
表示素子への積極的な温度制御時以外の温度制御に用いる空気の影響が少なく、排気していたエネルギーを用いた、熱効率のよい省エネルギーな熱制御を行う。
【００７６】
（請求項２の目的）
光路偏向素子への積極的な温度制御時以外の温度制御に用いる空気の影響が少なく、排気していたエネルギーを用いた、熱効率のよい温度制御を行う。
【００７７】
（請求項３の目的）
表示素子と光路偏向素子への積極的な温度制御時以外の温度制御に用いる空気の影響が少なく、排気していたエネルギーを用いた、熱効率のよい温度制御を行う。
【００７８】
（請求項４の目的）
表示素子や光偏向素子への不要な温風の影響を少なくする。
【００７９】
（請求項５の目的）
表示素子や光偏向素子への不要な温風の影響を少なくする。
【００８０】
（請求項６の目的）
表示素子や光偏向素子への不要な温風の影響を少なくする。
【００８１】
（請求項７の目的）
表示素子や光偏向素子への不要な温風の影響を少なくする。
【００８２】
（請求項８の目的）
画像投射装置内の他の部品への温風の影響を少なくする。
【００８３】
（請求項９の目的）
光源の状況及び内部温度センサの測定値に応じた温度制御を行う。
【００８４】
（請求項１０の目的）
より繊細な温度制御を行う。
【００８５】
（請求項１１の目的）
第二の送風手段の動作状況に応じた、繊細な温度制御を行う。
【００８６】
（請求項１２の目的）
加熱・冷却を積極的に行う温度制御を行う。
【００８７】
（請求項１３の目的）
前記内部温度センサの測定値に応じた、冷却する温度制御を行う。
【００８８】
（請求項１４の目的）
より繊細な冷却する温度制御を行う。
【００８９】
（請求項１５の目的）
少ない送風手段で、加熱・冷却の温度制御及び光源の冷却を行う。
【００９０】
（請求項１に対する作用効果）
ダクトに分岐を設けることで、表示素子への積極的な温度制御時以外の温度制御に用いる空気の影響が少なくなり、表示素子を暖める温度制御に、光源を冷却した後の温風を利用することにより、加熱するための新たなエネルギー使うことなく、表示素子の温度変化を一定範囲に制御することができる。
【００９１】
（請求項２に対する作用効果）
ダクトに分岐を設けることで、光偏向素子への積極的な温度制御時以外の温度制御に用いる空気の影響が少なくなり、光路偏向素子を暖める温度制御に、光源を冷却した後の温風を利用することにより、加熱するための新たなエネルギー使うことなく、光路偏向素子の温度変化を一定範囲に制御することができる。
【００９２】
（請求項３に対する作用効果）
ダクトに分岐を設けることで、表示素子と光偏向素子への積極的な温度制御時以外の温度制御に用いる空気の影響が少なくなり、表示素子と光路偏向素子をともに暖める温度制御に、光源を冷却した後の温風を利用することにより、加熱するための新たなエネルギー使うことなく、表示素子と光路偏向素子の温度変化を一定範囲に制御することができる。
【００９３】
（請求項４に対する作用効果）
前記第一の分岐ダクトを前記分岐した他のダクトより低い位置に設置し、且つ第一の送風手段が動作、前記第二の送風手段停止した時の総圧が、前記分岐した他のダクトより低い構造を備えることにより、表示素子や光偏向素子への不要な温風の影響を少なくすることができる。
【００９４】
（請求項５に対する作用効果）
前記第一の分岐ダクトへの分岐角度を分岐した他のダクトよりも大きくすることにより、低い位置にある前記第一の分岐ダクトの総圧が他の分岐したダクトより低い構造を備えることができる。
【００９５】
（請求項６に対する作用効果）
前記第一の分岐ダクトの断面積を分岐した他のダクトよりも小さくすることにより、前記第一の分岐ダクトの総圧が分岐した他のダクトより低い構造を備えることができる。
【００９６】
（請求項７に対する作用効果）
第一の分岐ダクトの通風抵抗を第二の送風手段を設けることにより、分岐した他のダクトよりも大きくすることにより、前記第一の分岐ダクトの総圧が他の分岐したダクトより低い構造を備えることができる。
【００９７】
（請求項８に対する作用効果）
ダクトにより、前記光源から前記画像投射装置の開口部間を繋ぎ、流路を備えたことにより、画像投射装置内の他の部品への温風の影響を少なくすることができる。
【００９８】
（請求項９に対する作用効果）
第一、第二の送風手段を光源の状況及び内部温度センサの測定値に応じて、動作のON/OFFを制御手段により制御することで、一定の送風量による温度制御を行うことができる。
【００９９】
（請求項１０に対する作用効果）
第二の送風手段を内部温度センサの測定値に応じて、回転数を制御手段により制御することで、より繊細な温度制御を行うことができる。
【０１００】
（請求項１１に対する作用効果）
第一の送風手段を光源の状況、内部温度センサの測定値、第二の送風手段の動作状況に応じて、第一の送風手段の回転数を制御手段により制御することで、第二の送風手段の送風による効果をより安定したものにし、より繊細な温度制御を行うことができる。
【０１０１】
（請求項１２に対する作用効果）
冷却用に第三の送風手段を備えたことにより、加熱・冷却を積極的に行う温度制御を行うことができる。
【０１０２】
（請求項１３に対する作用効果）
第三の送風手段を内部温度センサの測定値に応じて、動作のON/OFFを制御手段により制御することで、一定の送風量による冷却する温度制御を行うことができる。
【０１０３】
（請求項１４に対する作用効果）
第三の送風手段を内部温度センサの測定値に応じて、回転数を制御手段により制御することにより、より繊細な温度制御を行うことができる。
【０１０４】
（請求項１５に対する作用効果）
前後に逆転して送風することができる第一の送風手段と制御手段を備えたことにより、少ない送風手段で、積極的な加熱・冷却の温度制御及び、光源の冷却を行うことができる。
【０１０５】
なお、上述する各実施の形態は、本発明の好適な実施の形態であり、本発明の要旨を逸脱しない範囲内において種々変更実施が可能である。
【図面の簡単な説明】
【０１０６】
【図１】本発明の第１の実施形態の暖めない温度制御に関する説明図である。
【図２】本発明の第１の実施形態の暖める温度制御に関する説明図である。
【図３】本発明の第１の実施形態の暖める温度制御に関する説明図である。
【図４】本発明の第１の実施形態の制御手段１５を用いた温度制御に関する概略説明図である。
【図５】本発明の第１の実施形態のダクトの分岐角度に関する説明図である。
【図６】本発明の第１の実施形態のダクトの分岐部の断面積に関する説明図である。
【図７】本発明の第１の実施形態のダクトの通風抵抗に関する説明図である。
【図８】本発明の第２の実施形態の制御手段１５を用いた温度制御に関する概略説明図である。
【図９】本発明の第２の実施形態の暖めない温度制御に関する説明図である。
【図１０】本発明の第２の実施形態の暖める温度制御に関する説明図である。
【図１１】本発明の第２の実施形態の冷やす温度制御に関する説明図である。
【図１２】本発明の第４の実施形態の冷やす温度制御に関する説明図である。
【図１３】本発明の第４の実施形態の冷やす温度制御に関する説明図である。
【符号の説明】
【０１０７】
１    開口部
２    ランプ
３、７    ファン
４，５，６    ダクト
８    １表示素子
９    光偏向素子
１５    制御手段
【図１】
2008090192.tif 000003
【図２】
2008090192.tif 000004
【図３】
2008090192.tif 000005
【図４】
2008090192.tif 000006
【図５】
2008090192.tif 000007
【図６】
2008090192.tif 000008
【図７】
2008090192.tif 000009
【図８】
2008090192.tif 000010
【図９】
2008090192.tif 000011
【図１０】
2008090192.tif 000012
【図１１】
2008090192.tif 000013
【図１２】
2008090192.tif 000014
【図１３】
2008090192.tif 000015